(57)【特許請求の範囲】
【請求項１】
イグニッションキーを挿抜するためのキー孔が形成されたロータの上方に設けられたハウジングと、
該ハウジング内で閉塞位置と開放位置との間で移動可能とされ、閉塞位置で前記キー孔を塞ぐとともに開放位置で当該キー孔を開放するシャッターと、
該シャッターを常時開放位置に向かって付勢する付勢手段と、
閉塞位置にある前記シャッターを係止し得る係止手段と、
該係止手段による係止を解除し、前記シャッターを前記付勢手段による付勢力で閉塞位置から開放位置まで移動させる解除手段と、
を具備したシリンダ錠の保護装置において、
前記解除手段は、
手動操作により前記係止手段による係止を解除する手動解除手段と、
遠隔操作で駆動することにより前記係止手段による係止を解除する遠隔解除手段と、
を有するとともに、当該手動解除手段及び遠隔解除手段がそれぞれ前記係止手段を動作させて前記シャッターを作動させ得るものとされ、且つ、前記係止手段は、前記手動解除手段の操作力が伝達される第１部位と、前記遠隔解除手段の駆動力が伝達される第２部位とを有した単一の部材から成り、所定の軸を中心に揺動可能とされ、一端側に前記第１部位が形成されるとともに他端側に前記第２部位が形成されたことを特徴とするシリンダ錠の保護装置。
【請求項２】
前記遠隔解除手段は、遠隔操作により通電されてプランジャを駆動させるソレノイドから成り、当該プランジャの駆動により前記係止手段を動作させて係止を解除させ得ることを特徴とする請求項１記載のシリンダ錠の保護装置。
【請求項３】
前記係止手段は、前記プランジャの所定部位を挿通可能な切欠きを有し、当該切欠きに前記プランジャを挿通して前記係止手段とソレノイドとを連結させたことを特徴とする請求項２記載のシリンダ錠の保護装置。
【請求項４】
前記シャッターには、当該シャッターを開放位置から閉塞位置まで手動で操作し得る操作部が形成されたことを特徴とする請求項１〜３の何れか１つに記載のシリンダ錠の保護装置。
【発明の詳細な説明】
【技術分野】
【０００１】
本発明は、二輪車などが具備するシリンダ錠の破壊等を防止し得るシリンダ錠の保護装置に関するものである。
【背景技術】
【０００２】
二輪車のシリンダ錠は、通常、イグニッションキーを挿抜可能なキー孔が形成されたロータを具備しており、従来、第三者によるはさみやドライバ等の当該キー孔への差し込みでシリンダ錠がいたずらされて破壊されるのを防止するために、シリンダ錠の保護装置が提案されている。かかる保護装置は、例えば特許文献１に開示されているように、キー孔を閉状態とする閉塞位置から当該キー孔を開状態とする開放位置まで移動可能なシャッターと、該シャッターを開放位置と閉塞位置との間で移動自在に保持するハウジングと、シャッターを閉塞位置に保持することによりキー孔を閉塞して施錠するマグネット錠と、磁石の磁気によりマグネット錠を解錠するマグネットキーを具備していた。
【０００３】
さらに、上記した特許文献で開示された従来のシリンダ錠の保護装置は、リモコン等による遠隔操作で正逆転するモータやソレノイドを有し、マグネットキー錠及びマグネットキーによる手動操作に加え、当該リモコン等による遠隔操作によってもシャッターを開閉させ得るよう構成されていた。これにより、シャッターによるキー孔の開閉動作を手動操作と遠隔操作とで行うことができ、操作性を向上させることができる。
【先行技術文献】
【特許文献】
【０００４】
【特許文献１】特開２００１−３１７２４３号公報
【発明の概要】
【発明が解決しようとする課題】
【０００５】
しかしながら、上記従来のシリンダ錠の保護装置においては、手動操作に加え、当該リモコン等による遠隔操作によってもシャッターを開閉させ得ることから、操作性を向上させ得るものの、手動操作のための構成とは別個独立した遠隔操作用の構成を配設させる必要があるため、装置構成が複雑化してしまうという問題があった。
【０００６】
本発明は、このような事情に鑑みてなされたもので、手動操作と遠隔操作との両方でシャッターを作動させることができるとともに、構成を簡素化することができるシリンダ錠の保護装置を提供することにある。
【課題を解決するための手段】
【０００７】
請求項１記載の発明は、イグニッションキーを挿抜するためのキー孔が形成されたロータの上方に設けられたハウジングと、該ハウジング内で閉塞位置と開放位置との間で移動可能とされ、閉塞位置で前記キー孔を塞ぐとともに開放位置で当該キー孔を開放するシャッターと、該シャッターを常時開放位置に向かって付勢する付勢手段と、閉塞位置にある前記シャッターを係止し得る係止手段と、該係止手段による係止を解除し、前記シャッターを前記付勢手段による付勢力で閉塞位置から開放位置まで移動させる解除手段とを具備したシリンダ錠の保護装置において、前記解除手段は、手動操作により前記係止手段による係止を解除する手動解除手段と、遠隔操作で駆動することにより前記係止手段による係止を解除する遠隔解除手段とを有するとともに、当該手動解除手段及び遠隔解除手段がそれぞれ前記係止手段を動作させて前記シャッターを作動させ得るものとされ、且つ、前記係止手段は、前記手動解除手段の操作力が伝達される第１部位と、前記遠隔解除手段の駆動力が伝達される第２部位とを有した単一の部材から成り、所定の軸を中心に揺動可能とされ、一端側に前記第１部位が形成されるとともに他端側に前記第２部位が形成されたことを特徴とする。
【００１０】
請求項２記載の発明は、請求項１記載のシリンダ錠の保護装置において、前記遠隔解除手段は、遠隔操作により通電されてプランジャを駆動させるソレノイドから成り、当該プランジャの駆動により前記係止手段を動作させて係止を解除させ得ることを特徴とする。
【００１１】
請求項３記載の発明は、請求項２記載のシリンダ錠の保護装置において、前記係止手段は、前記プランジャの所定部位を挿通可能な切欠きを有し、当該切欠きに前記プランジャを挿通して前記係止手段とソレノイドとを連結させたことを特徴とする。
【００１２】
請求項４記載の発明は、請求項１〜３の何れか１つに記載のシリンダ錠の保護装置において、前記シャッターには、当該シャッターを開放位置から閉塞位置まで手動で操作し得る操作部が形成されたことを特徴とする。
【発明の効果】
【００１３】
請求項１の発明によれば、解除手段は、手動操作により係止手段による係止を解除する手動解除手段と、遠隔操作で駆動することにより係止手段による係止を解除する遠隔解除手段とを有するとともに、当該手動解除手段及び遠隔解除手段がそれぞれ係止手段を動作させてシャッターを作動させ得るので、手動操作と遠隔操作との両方でシャッターを作動させることができるとともに、共通の係止手段を介して手動解除手段による係止の解除及び遠隔解除手段による係止の解除を行わせることができ、構成を簡素化することができる。
【００１４】
また、係止手段は、手動解除手段の操作力が伝達される第１部位と、遠隔解除手段の駆動力が伝達される第２部位とを有した単一の部材から成るので、構成をより簡素化することができる。
【００１５】
さらに、係止手段は、所定の軸を中心に揺動可能とされ、一端側に第１部位が形成されるとともに他端側に第２部位が形成されたので、手動解除手段による係止の解除及び遠隔解除手段による係止の解除を円滑かつ確実に行わせることができる。
【００１６】
請求項２の発明によれば、遠隔解除手段は、遠隔操作により通電されてプランジャを駆動させるソレノイドから成り、当該プランジャの駆動により係止手段を動作させて係止を解除させ得るので、遠隔解除手段による係止の解除をより円滑かつ確実に行わせることができる。
【００１７】
請求項３の発明によれば、係止手段は、プランジャの所定部位を挿通可能な切欠きを有し、当該切欠きに前記プランジャを挿通して係止手段とソレノイドとを連結させたので、外部からの衝撃や振動等によりプランジャが移動しても係止手段が移動してしまうのを抑制することができる。
【００１８】
請求項４の発明によれば、シャッターには、当該シャッターを開放位置から閉塞位置まで手動で操作し得る操作部が形成されたので、シャッターによりキー孔を閉塞させる際の操作性をより向上させることができる。
【図面の簡単な説明】
【００１９】
【図１】本発明の実施形態に係るシリンダ錠の保護装置を示す斜視図
【図２】同シリンダ錠の保護装置を示す正面図
【図３】同シリンダ錠の保護装置を示す平面図
【図４】図３中ＩＶ−ＩＶ線断面図
【図５】同シリンダ錠の保護装置におけるシャッターを示す斜視図
【図６】同シリンダ錠の保護装置におけるシャッターを示す５面図
【図７】同シリンダ錠の保護装置における係止手段を示す斜視図
【図８】同シリンダ錠の保護装置における係止手段を示す５面図
【図９】同シリンダ錠の保護装置におけるマグネット錠の動作を示すための断面模式図
【図１０】同シリンダ錠の保護装置における遠隔解除手段による係止の解除動作を示す平面図
【図１１】同シリンダ錠の保護装置における遠隔解除手段による係止の解除動作を示す断面図
【図１２】同シリンダ錠の保護装置における手動解除手段による係止の解除動作を示す平面図
【発明を実施するための形態】
【００２０】
以下、本発明の実施形態について図面を参照しながら具体的に説明する。
本実施形態に係るシリンダ錠の保護装置は、二輪車が具備するシリンダ錠のキー孔上方に設けられ、当該キー孔を外側から開閉可能とすることによりシリンダ錠を保護し得るもので、図１〜９に示すように、ハウジング１と、シャッター２と、付勢手段としての捩りバネ３と、係止手段４と、解除手段としてのマグネット錠５（手動解除手段）及びソレノイド６（遠隔解除手段）とから主に構成されている。なお、図中符号１０は、キー孔Ｒａに光を照射し得るＬＥＤを示している。
【００２１】
ハウジング１は、ロータＲの上方に設けられ、本保護装置を構成する各種部品を内部に収容するとともに、シリンダ錠を構成するシリンダボディＳの上端部を収容し得るようになっている。かかるシリンダボディＳ内には、複数のタンブラを具備したロータＲが配設されるとともに、当該ロータＲには、キー孔Ｒａが形成されてイグニッションキーＩＫを挿抜（抜き差し）し得るよう構成されている。
【００２２】
なお、本実施形態に係るハウジング１は、カバー部１ａ及びケース部１ｂから成り、ケース部１ｂに本保護装置を構成する各種部品が配設されるとともに、その上方をカバー部１ａにて覆うようになっている。カバー部１ａには、ロータＲのキー孔Ｒａを外部に臨ませつつイグニッションキーＩＫを挿通可能な挿通孔１ａａと、後述する操作部７を操作可能とする凹部１ａｂと、マグネット錠５を外部に臨ませた開口１ａｃとがそれぞれ形成されている。
【００２３】
ロータＲは、キー孔ＲａにイグニッションキーＩＫを挿入した状態にて回動操作可能とされており、二輪車が具備するエンジンを始動させるオン位置、当該エンジンを停止させるオフ位置、及び車両が具備するハンドルバーをロックするロック位置の間を回動可能とされている。なお、ロータＲがオフ位置にあるとき、キー孔Ｒａに挿入したイグニッションキーＩＫを押圧して押し込み、その状態で平面視で左側へ回動させることにより、ロック位置までの回動操作が可能とされている。このロック位置にロータＲが移動すると、シリンダボディＳ内のロックバーＢが突出するよう構成されており、当該ロックバーＢが二輪車におけるハンドルバー（不図示）の回動軸に形成されたロック孔（不図示）内に挿入して係止することにより、当該ハンドルバーに対するロックがなされるようになっている。
【００２４】
一方、イグニッションキーＩＫは、図２に示すように、樹脂等の成形部品から成る把持部１１を有して構成されており、当該把持部１１からキー山やキー溝が形成されたキー部が延設されて構成されている。このキー部がロータＲのキー孔Ｒａに挿入可能とされているのである。また、把持部１１には、遠隔操作可能な操作ボタン１２が形成されており、例えば当該操作ボタン１２を１回押圧操作すると、車両が具備する左右のターンシグナルが所定回数点滅して応答し得るとともに、２回連続して押圧操作すると、後述するソレノイド６（遠隔解除手段）に対する遠隔操作が可能となっている。
【００２５】
シャッター２は、ハウジング１内で閉塞位置（図１０（ａ）参照）と開放位置（同図（ｃ）参照）との間で移動（本実施形態においては回動）可能とされ、閉塞位置でキー孔Ｒａを塞ぐとともに開放位置でキー孔Ｒａを開放し得るものである。具体的には、本実施形態に係るシャッター２は、図５、６に示すように、被係止部２ａと、覆い部２ｂと、凸部２ｃと、回動中心部２ｄと、操作部７とが一体形成された金属製の部品から成る。
【００２６】
被係止部２ａは、係止手段４により係止される部位から成り、シャッター２の先端部に形成されている。覆い部２ｂは、シャッター２の略中央部に形成された部位から成り、当該シャッター２が閉塞位置にあるとき、キー孔Ｒａを覆って塞ぐよう構成されている。凸部２ｃは、捩りバネ３（付勢手段）の一端と連結された部位から成るとともに、回動中心部２ｄは、ハウジング１のケース部１ｂに突出形成されたボス部Ｌ２（図４参照）を嵌合可能な凹部から成る。
【００２７】
これにより、シャッター２は、回動中心部２ｄに嵌合したボス部Ｌ２を中心として、開放位置と閉塞位置との間を回動可能とされている。また、付勢手段としての捩りバネ３は、上述のように一端が凸部２ｃに連結されるとともに、他端がハウジング１のケース部１ｂに連結されており、シャッター２を常時開放位置に向かって付勢している。そして、シャッター２を開放位置から閉塞位置に回動させる際、凸部２ｃにより捩りバネ３が捩られるので、開放位置に向かった付勢力が付与されるよう構成されている。なお、当該捩りバネ３に代えて、シャッター２を常時開放位置へ付勢する他の付勢手段（板バネやコイルバネ或いは軟質樹脂等の弾性体など）としてもよい。
【００２８】
さらに、シャッター２には、当該シャッター２を開放位置から閉塞位置まで手動で操作し得る操作部７が形成されている。この操作部７は、シャッター２の回動中心部２ｄから側方に向かって一体的に延設された部位から成るとともに、シャッター２が開放位置にあるとき、カバー部１ａの凹部１ａｂが形成された部位に位置することにより、指で摘んで操作が可能とされている。また、シャッター２が閉塞位置にあるとき、操作部７がカバー部１ａの内部に位置することにより、操作ができないよう構成されている。
【００２９】
係止手段４は、図３に示すように、閉塞位置にあるシャッター２を係止し得るものであり、本実施形態においては、図７、８に示すように、マグネット錠５（手動解除手段）の操作力が伝達される第１部位４ａと、ソレノイド６（遠隔解除手段）の駆動力が伝達される第２部位４ｂと、シャッター２の被係止部２ａと当接して係止し得る係止部４ｃと、揺動中心部４ｄとを有した単一の部材（リンク状部材）から成る。
【００３０】
揺動中心部４ｄは、係止手段４における幅方向に貫通した孔から成り、ハウジング１側（固定部材側）に形成された揺動軸Ｌ１（図４参照）を挿通可能とされている。これにより、係止手段４は、揺動軸Ｌ１（所定の軸）を中心に揺動可能とされており、一端側に第１部位４ａ及び係止部４ｃが形成されるとともに他端側に第２部位４ｂが形成されたものとなっている。
【００３１】
しかして、係止手段４は、揺動軸Ｌ１を中心に揺動することにより、シャッター２を係止する位置（図４参照）と、シャッター２の係止を解いた位置（図１１参照）との間を移動可能とされているのである。また、揺動軸Ｌ１には、図２、４に示すように、一端が固定側に連結されつつ他端が係止手段４に連結された捩りバネ８が取り付けられており、この捩りバネ８により、係止手段４が同図中ｃ方向に常時付勢されている。これにより、係止手段４は、シャッター２を係止する位置に向かって常時付勢されることとなる。
【００３２】
解除手段としてのマグネット錠５（手動解除手段）及びソレノイド６（遠隔解除手段）は、係止手段４による係止を解除し、シャッター２を捩りバネ３（付勢手段）による付勢力で閉塞位置から開放位置まで移動させるものである。すなわち、本実施形態においては、係止手段４によるシャッター２に対する係止の解除がマグネット錠５による手動操作及びソレノイド６による遠隔操作の何れによっても可能とされており、これらマグネット錠５及びソレノイド６を選択的に作動させることにより、シャッター２を閉塞位置から開放位置まで動作させ得るよう構成されているのである。
【００３３】
マグネット錠５（手動解除手段）は、手動操作により係止手段４による係止を解除するためのもので、図９に示すように、ハウジング１のケース部１ｂに形成されたボス部１ｂａに嵌合した筒状部材から成り、当該ボス部１ｂａを中心として回動可能とされている。より具体的には、ボス部１ｂａの上面には、磁石ｍ１及び当該磁石ｍ１を図中上方に付勢するバネｓを収容する収容穴１ｂｂが複数（本実施形態においては４つ）形成されているとともに、マグネット錠５における収容穴１ｂｂに対応した位置（裏面）には、磁石ｍ１を嵌合し得る嵌合穴５ｂが形成されている。そして、図９（ａ）に示すように、各磁石ｍ１が嵌合穴５ｂに嵌合することにより、マグネット錠５の回動が規制されてロックされ得るようになっている。
【００３４】
一方、イグニッションキーＩＫの把持部１１には、マグネットキーＭＫが形成されている。このマグネットキーＭＫは、マグネット錠５の上面に形成された嵌合部５ａに嵌合可能な形状とされるとともに、磁石ｍ１に対応する位置に磁石ｍ２が埋設されている。そして、正規のマグネットキーＭＫを嵌合部５ａに嵌合させると、図９（ｂ）に示すように、磁石ｍ１に対して磁石ｍ２が対峙するとともに、これら磁石ｍ１の磁力と磁石ｍ２の磁力とが互いに反発し合うよう設定（すなわち、磁石ｍ１のＳ極と磁石ｍ２のＳ極とが対峙するとともに、磁石ｍ１のＮ極と磁石ｍ２のＮ極とが対峙するよう設定）されている。
【００３５】
これにより、正規のマグネットキーＭＫを嵌合部５ａに嵌合させると、磁石ｍ１がバネｓの付勢力に抗して下降し、嵌合穴５ｂに対する嵌合が解かれることとなるので、その状態を維持しつつ当該マグネットキーＭＫを所定方向に回動させれば、同方向にマグネット錠５を回動させることができる。また、マグネット錠５の所定位置には、当該マグネット錠５が回動する過程で係止手段４の第１部位４ａと当接し得る当接部５ｃ（図１２参照）が形成されている。
【００３６】
そして、マグネットキーＭＫにより磁石ｍ１による嵌合を解いた後、当該マグネットキーＭＫと共にマグネット錠５を所定方向に回動すると、図１２に示すように、当接部５ｃが係止手段４の第１部位４ａと当接するとともに当該第１部位４ａを同方向に押圧するので、当該係止手段４を捩りバネ８の付勢力に抗して揺動させ得るようになっている。これにより、係止手段４によるシャッター２に対する係止が解かれ、当該シャッター２が捩りバネ３の付勢力にて閉塞位置から開放位置まで移動することとなる。
【００３７】
なお、本実施形態に係るマグネット錠５は、ハウジング１のケース部１ｂに配設されたコイルバネ９にてロックされた位置側（磁石ｍ１が嵌合して回動が規制された位置側）に常時付勢されている。これにより、係止手段４のシャッター２に対する係止が解かれた後、マグネットキーＭＫによる操作力を緩める或いは当該マグネットキーＭＫを取り外すことにより、コイルバネ９の付勢力にてマグネット錠５が自然と元の位置（ロック位置）に戻るようになっている。
【００３８】
ソレノイド６（遠隔解除手段）は、遠隔操作で駆動することにより係止手段４による係止を解除するためのもので、本実施形態においては、図２、４に示すように、遠隔操作により通電されてプランジャ６ａを駆動させるソレノイド６から成り、当該プランジャ６ａの駆動により係止手段４を動作させて係止を解除させ得るものとされている。より具体的には、係止手段４の第２部位４ｂは、プランジャ６ａの所定部位６ａａ（他の部位より細径とされた部位）を挿通可能な切欠き（図７、８参照）とされており、当該切欠きにプランジャ６ａの所定部位６ａａを挿通して係止手段４とソレノイド６とを連結させているのである。
【００３９】
しかるに、イグニッションキーＩＫの把持部１１に形成された操作ボタン１２を押圧操作（例えば、連続して２回押圧操作）すると、電波等で構成される所定の信号が発信され、その信号を図示しない受信機にて受信すると、ソレノイド６内のコイル（不図示）に通電させてプランジャ６ａを下降（図１１中ａ方向に移動）させ、第２部位４ｂ（切欠きによりプランジャ６ａと連結された部位）を同方向に引っ張ることにより係止手段４を捩りバネ８の付勢力に抗して図１１中ｂ方向に揺動させ得るようになっている。これにより、係止手段４によるシャッター２の係止が解かれ、当該シャッター２が捩りバネ３の付勢力にて閉塞位置から開放位置まで移動することとなる。
【００４０】
すなわち、図１０に示すように、係止手段４にて閉塞位置にあるシャッター２を係止した状態（同図（ａ）参照）において、操作ボタン１２に対する所定の押圧操作を行うと、係止手段４が捩りバネ８の付勢力に抗して揺動軸Ｌ１を中心に揺動し、同図（ｂ）に示すように、係止部４ｃが被係止部２ａと離間した状態となる。これにより、シャッター２に対する係止が解かれ、捻りバネ３による付勢力にてシャッター２が回動して開放位置とされる（同図（ｃ）参照）のである。
【００４１】
なお、開放位置にあるシャッター２を閉塞位置とするには、操作部７を指で摘んで揺動させる操作が必要とされる。具体的には、シャッター２の先端部（被係止部２ａと隣接する部位）には、所定の勾配面２ｅ（図５、６参照）が形成されており、操作部７を操作して開放位置にあるシャッター２を閉塞位置まで回動させる過程で、勾配面２ｅにて係止部４ｃを押圧し、揺動軸Ｌ１を中心として係止手段４を揺動させる。これにより、シャッター２を更に回動させて閉塞位置に至らせることが可能とされ、当該シャッター２が閉塞位置に至ると、係止手段４が捩りバネ８の付勢力にて元の位置まで揺動し、係止部４ｃが被係止部２ａと当接することとなり、シャッター２が閉塞位置にて係止される。
【００４２】
上記実施形態に係るシリンダ錠の保護装置によれば、解除手段は、手動操作により係止手段４による係止を解除するマグネット錠５（手動解除手段）と、遠隔操作で駆動することにより係止手段４による係止を解除するソレノイド６（遠隔解除手段）とを有するとともに、当該マグネット錠５及びソレノイド６がそれぞれ係止手段４を動作させてシャッター２を作動させ得るので、手動操作と遠隔操作との両方でシャッター２を作動させることができるとともに、共通の係止手段４を介してマグネット錠５（手動解除手段）による係止の解除及びソレノイド６（遠隔解除手段）による係止の解除を行わせることができ、構成を簡素化することができる。
【００４３】
また、本実施形態に係る係止手段４は、マグネット錠５（手動解除手段）の操作力が伝達される第１部位４ａと、ソレノイド６（遠隔解除手段）の駆動力が伝達される第２部位４ｂとを有した単一の部材から成るので、構成をより簡素化することができる。さらに、本実施形態に係る係止手段４は、所定の軸（揺動軸Ｌ１）を中心に揺動可能とされ、一端側に第１部位４ａが形成されるとともに他端側に第２部位４ｂが形成されたので、マグネット錠５（手動解除手段）による係止の解除及びソレノイド６（遠隔解除手段）による係止の解除を円滑かつ確実に行わせることができる。
【００４４】
またさらに、本実施形態に係る遠隔解除手段は、遠隔操作により通電されてプランジャ６ａを駆動させるソレノイド６から成り、当該プランジャ６ａの駆動により係止手段４を動作させて係止を解除させ得るので、遠隔解除手段による係止の解除をより円滑かつ確実に行わせることができる。また、係止手段４は、プランジャ６ａの所定部位６ａａを挿通可能な切欠きを有し、当該切欠きにプランジャ６ａを挿通して係止手段４とソレノイド６とを連結させたので、係止手段４の第２部位４ｂにプランジャ６ａを固定させるものに比べ、外部からの衝撃や振動等によりプランジャ６ａが移動しても係止手段４が移動してしまうのを抑制することができる。
【００４５】
特に、本実施形態の如く係止手段４における第２部位４ｂを切欠きで構成し、その切欠きにプランジャ６ａを挿通させて係止手段４とプランジャ６ａとの連結を図ることにより、手動操作による係止手段４の揺動時（すなわち、マグネット錠５の回動時）、プランジャ６ａを連れ回すことなく当該係止手段４の揺動を許容させることができ、係止手段４による係止の解除をより円滑に行わせることができる。
【００４６】
さらに、本実施形態に係るシリンダ錠の保護装置によれば、シャッター２には、当該シャッター２を開放位置から閉塞位置まで手動で操作し得る操作部７が形成されたので、シャッター２によりキー孔Ｒａを閉塞させる際の操作性をより向上させることができる。なお、本実施形態においては、操作部７がシャッター２と一体成形された部位から成るが、別体の操作部をシャッター２の所定部位（回動中心部２ｄから延設させるものに限らない）に取り付けるようにしてもよい。
【００４７】
以上、本実施形態について説明したが、本発明はこれに限定されるものではなく、例えばマグネット錠５に代えて、手動操作により係止手段４による係止を解除する他の形態の手動解除手段、又はソレノイド６に代えて、遠隔操作で駆動することにより係止手段４による係止を解除する他の形態の遠隔解除手段（例えば、他の汎用的なアクチュエータ）としてもよい。特に、遠隔解除手段として、汎用的なモータを用いることができ、この場合、手動解除手段による手動操作時、モータの出力軸が空回りするよう構成するのが好ましい。
【００４８】
また、シャッター２は、本実施形態の如く開放位置と閉塞位置との間を回動するものに限定されず、例えば開放位置と閉塞位置との間を摺動するものとしてもよい。
【００４９】
またさらに、本実施形態においては、イグニッションキーＩＫの把持部１１に形成された操作ボタン１２を操作することにより、遠隔解除手段（ソレノイド６）を作動させてシャッター２の係止を解いているが、当該把持部１１とは別個のリモコン（リモートコントローラ）にてソレノイド６等から成る遠隔解除手段を作動させるようにしてもよい。なお、本実施形態においては、二輪車のシリンダ錠に適用されているが、例えば船舶、ＡＴＶ又はスノーモービル等におけるシリンダ錠に本発明を適用してもよい。
【産業上の利用可能性】
【００５０】
解除手段は、手動操作により係止手段による係止を解除する手動解除手段と、遠隔操作で駆動することにより係止手段による係止を解除する遠隔解除手段とを有するとともに、当該手動解除手段及び遠隔解除手段がそれぞれ係止手段を動作させてシャッターを作動させ得るものとされ、且つ、係止手段は、手動解除手段の操作力が伝達される第１部位と、遠隔解除手段の駆動力が伝達される第２部位とを有した単一の部材から成り、所定の軸を中心に揺動可能とされ、一端側に第１部位が形成されるとともに他端側に第２部位が形成されたシリンダ錠の保護装置であれば、外観形状が異なるもの或いは他の機能が付加されたもの等に適用することができる。
【符号の説明】
【００５１】
１  ハウジング
２  シャッター
３  捩りバネ（付勢手段）
４  係止手段
５  マグネット錠（手動解除手段）（解除手段）
６  ソレノイド（遠隔解除手段）（解除手段）
７  操作部
８  捩りバネ
９  コイルバネ
１０  ＬＥＤ
１１  把持部
１２  操作ボタン
ＩＫ  イグニッションキー
Ｒ  ロータ
Ｒａ  キー孔
【図１】
0006034047.tif 000002
【図２】
0006034047.tif 000003
【図３】
0006034047.tif 000004
【図４】
0006034047.tif 000005
【図５】
0006034047.tif 000006
【図６】
0006034047.tif 000007
【図７】
0006034047.tif 000008
【図８】
0006034047.tif 000009
【図９】
0006034047.tif 000010
【図１０】
0006034047.tif 000011
【図１１】
0006034047.tif 000012
【図１２】
0006034047.tif 000013